(57)【要約】【課題】部屋全体を照明することは勿論、個々の部位をスポット照明することも行い、照明を多目的に使用することを可能にする。【解決手段】部屋の中央に設置された長方形状の会議用テーブル２の縁に沿うようにして長方形の列状に複数のＬＥＤ光源からなる第１光源５を配置する。各ＬＥＤ光源は、それぞれ０度の方向の光度Ｌが１／２・Ｌになるときのビーム角が５０度以下となる配光特性を持っている。部屋の天井面の周縁部に、主に壁面６を照明する第２光源７を配置する。そして、例えば、第２光源を点灯させて壁６及びその周囲を明るく照明する。また、第１光源については、在室者４の上にあるＬＥＤ光源を１００％点灯させ、その他のＬＥＤ光源を５０％に調光点灯させる。【選択図】      図１
2006324138.tif 000002
【特許請求の範囲】
【請求項１】
天井面の中央部側に列状に配置され、それぞれ光度が１／２になるときのビーム角が５０度以下となる配光を持った複数の第１光源と、
天井面の周縁部あるいは壁面に配置され、主に壁面を照明する第２光源と、
前記複数の第１光源と前記第２光源の発光をそれぞれ制御する制御手段と、
を具備したことを特徴とする照明装置。
【発明の詳細な説明】
【技術分野】
【０００１】
本発明は、スポット照明に適した複数の第１光源と壁面照明を行う第２光源を備えた照明装置に関する。
【背景技術】
【０００２】
従来、検知範囲が中央部と周辺部で異なる２つの人体検知センサを設け、この各人体検知センサがそれぞれ人体検知を行うと一定時間だけランプなどの照明負荷を点灯し、中央部を検知する人体検知センサが人体検知を行ったときの一定時間を、周辺部を検知する人体検知センサが人体検知を行ったときの一定時間よりも長く設定し、また、何れか一方の人体検知センサが人体検知をすると照明負荷を高輝度点灯し、他方の人体検知センサが人体検知をすると照明負荷を低輝度点灯することで快適な照明環境を提供する照明装置が知られている（例えば、特許文献１参照）。
【特許文献１】特開２０００−１００５８２号公報
【発明の開示】
【発明が解決しようとする課題】
【０００３】
しかしながら、特許文献１記載のものは、１つの照明負荷を２つの人体検知センサの人体検知によって高輝度点灯、低輝度点灯に制御するものであり、例えば、部屋全体を照明することはできても個々の部位をスポット照明することはできなかった。
【０００４】
そこで、本発明は、部屋全体を照明することは勿論、個々の部位をスポット照明することができ、例えば、在室者のみをスポット照明することや発表者のみをスポット照明することなど照明を多目的に使用できる照明装置を提供する。
【課題を解決するための手段】
【０００５】
本発明は、天井面の中央部側に列状に配置され、それぞれ光度が１／２になるときのビーム角が５０度以下となる配光を持った複数の第１光源と、天井面の周縁部あるいは壁面に配置され、主に壁面を照明する第２光源と、複数の第１光源と第２光源の発光をそれぞれ制御する制御手段とを具備した照明装置にある。  
すなわち、複数の第１光源は光度が１／２になるときのビーム角が５０度以下となる配光を持っているのでこの光源を選択的に点灯することでスポット照明が可能になる。また、複数の第１光源と第２光源を合わせて点灯することで部屋全体の照明が行える。
【発明の効果】
【０００６】
本発明によれば、部屋全体を照明することは勿論、個々の部位をスポット照明することができ、例えば、在室者のみをスポット照明することや発表者のみをスポット照明することなど照明を多目的に使用できる。そして、スポット照明されることで集中力が向上することや必要な個所のみスポット照明することで省電力化を図ることができるなどの付随的効果も得られる。
【発明を実施するための最良の形態】
【０００７】
以下、本発明の一実施の形態を、図面を参照して説明する。  
図１は、部屋１を天井側から見た平面図で、部屋１の中央には長方形状の会議用テーブル２が設置され、そのテーブル２に多数の椅子３が配置されている。そして、テーブル２の周囲には何人かの在室者４が椅子に腰掛けている。
【０００８】
部屋１の天井面の中央部側に、前記テーブル２の縁に沿うようにして長方形の列状に複数のＬＥＤ光源からなる第１光源５を配置している。各ＬＥＤ光源は複数個のＬＥＤ素子によって構成され、それぞれ０度の方向の光度Ｌが１／２・Ｌになるときのビーム角が５０度以下となる図３に示すような配光特性を持っている。なお、第１光源５としては、ＬＥＤ光源に限られず、電球、蛍光ランプなどの放電ランプなども使用可能である。
【０００９】
部屋１の天井面の周縁部に、主に壁面６を照明する第２光源７を配置している。すなわち、第２光源７は、天井面の周縁に沿って長方形状に複数配置し、それぞれ隣接した壁面６及びその周辺を照明するようになっている。第２光源７としては蛍光ランプなどの放電ランプが最も適しているが、その他電球、ＬＥＤ光源、ＥＬ素子を使用したＥＬ光源なども使用可能である。なお、第２光源７を壁面６に天井面の周縁に沿うようにして配置しても良い。
【００１０】
図２は前記複数の第１光源５及び第２光源７を点灯制御する制御部の構成を示すブロック図で、第１光源５であるｎ個のＬＥＤ光源５-1，５-2，…をそれぞれ点灯回路１１-1，１１-2，…によって点灯制御するようにしている。また、各点灯回路１１-1，１１-2，…に対応して調光回路１２-1，１２-2，…を設け、この調光回路１２-1，１２-2，…からの調光信号によって点灯回路１１-1，１１-2，…はＬＥＤ光源５-1，５-2，…を調光点灯制御するようになっている。
【００１１】
第２光源７であるｍ個の光源７-1，７-2，…をそれぞれ点灯回路１３-1，１３-2，…によって点灯制御するようにしている。  
前記各点灯回路１１-1，１１-2，…、各調光回路１２-1，１２-2，…、各点灯回路１３-1，１３-2，…を点灯や調光のために制御装置１４によって制御するようになっている。
【００１２】
前記各ＬＥＤ光源５-1，５-2，…に対応して、その光源の下に人が存在するか否かを検知する人感センサ１５-1，１５-2，…を配置するとともにその光源の下にいる人の音声を認識する音声認識センサ１６-1，１６-2，…を配置し、これら各人感センサ１５-1，１５-2，…及び音声認識センサ１６-1，１６-2，…からの検知信号を前記制御装置１４に入力するようにしている。
【００１３】
前記制御装置１４には、予め各種の会議モードにおける制御がプログラム設定されており、例えば、第１の会議モードでは、制御装置１４は、点灯回路１３-1，１３-2，…によって光源７-1，７-2，…を点灯動作して壁６及びその周囲を明るく照明するとともに点灯回路１１-1，１１-2，…によってＬＥＤ光源５-1，５-2，…を１００％点灯させ、部屋１内全体を明るく照明する。
【００１４】
各ＬＥＤ光源５-1，５-2，…は、それぞれ０度の方向の光度Ｌが１／２・Ｌになるときのビーム角が５０度以下に設定されているので、個々にはスポット的に照明を行うが、全てのＬＥＤ光源５-1，５-2，…を１００％点灯させることで、部屋１の中央部全体を明るく照明できる。この会議モードでは、人感センサ１５-1，１５-2，…及び音声認識センサ１６-1，１６-2，…からの検知信号の取込みを禁止する。なお、調光回路１２-1，１２-2，…を使用して点灯回路１１-1，１１-2，…がＬＥＤ光源５-1，５-2，…を調光点灯することもでき、部屋全体の明るさを調整することができる。
【００１５】
また、第２の会議モードでは、制御装置１４は、各点灯回路１３-1，１３-2，…によって光源７-1，７-2，…を点灯動作して壁６及びその周囲を明るく照明するとともに点灯回路１１-1，１１-2，…と調光回路１２-1，１２-2，…によってＬＥＤ光源５-1，５-2，…を、例えば、５０％に調光点灯させる。なお、５０％に限られるものではない。この会議モードでは、音声認識センサ１６-1，１６-2，…からの検知信号の取込みを禁止する。そして、人感センサ１５-1，１５-2，…からの検知信号の取り込みを行い、人の存在を検知した人感センサに対応したＬＥＤ光源を１００％点灯に切替える。
【００１６】
こうして、図４に示すように、在室者４の上にあるＬＥＤ光源（図中斜線で示す光源）のみが１００％点灯される。そして、周囲のＬＥＤ光源は５０％に調光点灯されているので、１００％点灯のＬＥＤ光源によって在室者４はスポット照明される。このようなスポット照明を行うことで在室者４の会議中の集中力を向上させることができる。
【００１７】
また、第３の会議モードでは、制御装置１４は、各点灯回路１３-1，１３-2，…によって光源７-1，７-2，…を点灯動作して壁６及びその周囲を明るく照明する。また、ＬＥＤ光源５-1，５-2，…を消灯させる。そして、人感センサ１５-1，１５-2，…からの検知信号の取り込みを行い、人の存在を検知した人感センサに対応したＬＥＤ光源を１００％点灯させる。この会議モードにおいても音声認識センサ１６-1，１６-2，…からの検知信号の取込みは禁止される。
【００１８】
こうして、在室者４が存在しない場所の上にあるＬＥＤ光源は消灯状態にあり、在室者４の上にあるＬＥＤ光源のみを１００％点灯することでスポット照明をより効果的に行うことができ、在室者４の会議中の集中力をより向上させることができる。また、在室者４が存在しない場所の上にあるＬＥＤ光源を消灯するので省電力化を図ることができる。
【００１９】
また、第４の会議モードでは、制御装置１４は、各点灯回路１３-1，１３-2，…によって光源７-1，７-2，…を点灯動作して壁６及びその周囲を明るく照明する。また、ＬＥＤ光源５-1，５-2，…を消灯させる。この会議モードでは、人感センサ１５-1，１５-2，…及び音声認識センサ１６-1，１６-2，…の両方からの検知信号の取込みを有効にする。
【００２０】
従って、人感センサ１５-1，１５-2，…からの検知信号の取り込みを行うので、在室者４がいれば、人の存在を検知した人感センサに対応したＬＥＤ光源を、例えば、５０％点灯させる。なお、５０％に限られるものではない。また、音声認識センサ１６-1，１６-2，…からの検知信号を有効にし、音声を認識した音声認識センサに対応したＬＥＤ光源を１００％点灯させる。
【００２１】
こうして、在室者４が存在しない場所の上にあるＬＥＤ光源は消灯状態にあり、在室者４の上にあるＬＥＤ光源のみを５０％点灯する。そして、さらに、発言等音声を発する在室者の上にあるＬＥＤ光源のみを１００％点灯する。これにより、発言等音声を発する在室者に対して強いスポット照明を行うことができ、強調することができる。従って、プレゼンテーションやデスカッションが行われる場合に極めて適している。
【００２２】
また、第５の会議モードでは、制御装置１４は、各点灯回路１３-1，１３-2，…によって光源７-1，７-2，…を点灯動作して壁６及びその周囲を明るく照明する。また、ＬＥＤ光源５-1，５-2，…を消灯させる。この会議モードでは、人感センサ１５-1，１５-2，…からの検知信号の取込みを禁止する。
【００２３】
従って、このときには音声認識センサ１６-1，１６-2，…からの検知信号のみを取込み、在室者４が音声を発したときに、その音声を認識した音声認識センサに対応したＬＥＤ光源を１００％点灯させる。従って、発言等音声を発する在室者に対して強いスポット照明を行うことができ、強調することができる。従って、この場合はプロジェクターを使用して講義等を行う場合には適している。なお、ＬＥＤ光源を５０％程度に調光点灯すればプレゼンテーションやデスカッションが行われる場合に適用できる。
【００２４】
前述した各会議モードでは光源７-1，７-2，…を常に点灯させるようにしたが、各会議モードにおいて光源７-1，７-2，…を消灯させることで、部屋全体を暗くすることもできる。このように部屋全体を暗くし、特定の人のみをスポット照明することで、例えば、プロジェクターを使用して講義等を行う場合には適している。なお、ここでは、光源７-1，７-2，…は点灯回路１３-1，１３-2，…によって単に点灯、消灯させるのみであったが、調光回路を設けて調光点灯させるようにしてもよく、このようにすれば部屋１の明るさをより細かく制御することができる。
【００２５】
なお、この実施の形態では、第１光源を構成する複数のＬＥＤ光源を、天井面の中央部側に長方形状の会議用テーブル２の縁に沿うようにして長方形の列状に配置したものについて述べたが必ずしもこれに限定するものではなく、例えば、楕円形列状、円形列状など、各種用途に応じて様々な形の列状に配置してよいものである。
【図面の簡単な説明】
【００２６】
【図１】本発明の一実施の形態に係る照明装置を配置した部屋を天井側から見た平面図。
【図２】同実施の形態に係る照明装置の制御部構成を示すブロック図。
【図３】同実施の形態に係る照明装置に使用するＬＥＤ光源の配光特性を示す図。
【図４】同実施の形態に係る照明装置の第１光源でスポット照明した状態を示す部屋を天井側から見た平面図。
【符号の説明】
【００２７】
５（５-1，５-2，…）…第１光源（ＬＥＤ光源）、６…壁、７（７-1，７-2，…）…第２光源、（１１-1，１１-2，…）…点灯回路、（１２-1，１２-2，…）…調光回路、（１３-1，１３-2，…）…点灯回路、１４…制御装置。
【図１】
2006324138.tif 000003
【図２】
2006324138.tif 000004
【図３】
2006324138.tif 000005
【図４】
2006324138.tif 000006